(57)【要約】  大型化を防止して、空気調和機本体を持ち上げる際のユーザビリティの向上を実現する。加湿機（１０１）が有する第１突起部（３１）及び第２突起部（３２）は、貯水トレイ（２）を収納部（１ａ）の底面（１ａ１）を接触させた状態で、引き出すと互いに接触せず、底面（１ａ１）から貯水トレイ（２）を浮かせて引き出すと、互いに接触することで貯水トレイ（２）の引き出しが停止する高さである。
2020032054.tif 000002
【特許請求の範囲】
【請求項１】
貯水トレイと、
前記貯水トレイを収納する収納部を有する本体と、を備えた空気調和機であって、
前記貯水トレイにおける第１面に第１係止部が設けられており、
前記収納部のうち、前記貯水トレイを収納したときに当該貯水トレイの前記第１面と対向する第２面に直接又は他の部材を介して第２係止部が設けられており、
前記第１係止部及び前記第２係止部は、
前記収納部における前記貯水トレイの設置面に当該貯水トレイを接触させた状態で、前記貯水トレイを引き出し方向に引き出すと互いに係わり合わず、前記設置面から前記貯水トレイを浮かせた状態で引き出し方向に引き出すと、互いに係わり合うことで当該貯水トレイの引き出しを停止させることを特徴とする空気調和機。
【請求項２】
前記貯水トレイにおける前面には、取手部が設けられていることを特徴とする請求項１に記載の空気調和機。
【請求項３】
平面視において、前記第２係止部は、前記貯水トレイが前記収納部に収納された状態から前記引き出し方向に引き出される際に前記第１係止部が移動する経路上に位置するように設けられていることを特徴とする請求項１又は２に記載の空気調和機。
【請求項４】
前記第１面は、前記貯水トレイの上面であり、
前記第２面は、前記収納部の天面であり、前記第２係止部は、当該天面に設けられていることを特徴とする請求項１〜３の何れか１項に記載の空気調和機。
【請求項５】
前記第１面は前記貯水トレイの側面であり、
前記第２面は前記収納部の側面であり、当該収納部の側面にはガイドレールが設けられており、
前記第２係止部は、前記ガイドレールに設けられていることを特徴とする請求項１〜３の何れか１項に記載の空気調和機。
【請求項６】
前記第１係止部と、前記第２係止部とは、
突出した形状同士の組み合わせ、又は、一方が突出した形状であり他方が凹んだ形状の組合せであることを特徴とする請求項１〜５の何れか１項に記載の空気調和機。
【請求項７】
前記第１係止部は突出した形状であり、
前記第２係止部は前記ガイドレールに設けられた貫通孔であることを特徴とする請求項５に記載の空気調和機。
【請求項８】
前記第１係止部及び前記第２係止部は、突出した形状であり、それぞれ、
前記収納部における前記貯水トレイの設置面に当該貯水トレイを接触させた状態で、前記貯水トレイを引き出し方向に引き出すと互いに接触せず、前記設置面から前記貯水トレイを浮かせた状態で引き出し方向に引き出すと、互いに接触することで当該貯水トレイの引き出しが停止する高さであることを特徴とする請求項６に記載の空気調和機。
【請求項９】
前記第１係止部は突出した形状であり、当該第１係止部において、頭頂面と、引き出し方向前方側の側面とが成す角は湾曲形状であることを特徴とする請求項６又は８に記載の空気調和機。
【請求項１０】
前記第１係止部は突出した形状であり、当該第１係止部において、頭頂面と、引き出し方向後方側の側面とが成す角は湾曲形状であることを特徴とする請求項６、８及び９の何れか１項に記載の空気調和機。
【請求項１１】
前記第１係止部は突出した形状であり、当該第１係止部において、引き出し方向前方側の側面は、前記第１面側から頭頂面側にかけて、引き出し方向前方側となるように傾斜していることを特徴とする請求項６、８〜１０の何れか１項に記載の空気調和機。
【請求項１２】
前記第２係止部は突出した形状であり、当該第２係止部において、頭頂面と、引き出し方向前方側の側面とが成す角は湾曲形状であることを特徴とする請求項６、８〜１１の何れか１項に記載の空気調和機。
【請求項１３】
前記第２係止部は突出した形状であり、当該第２係止部において、引き出し方向後方側の側面と、前記第２面とが成す角は９０°であることを特徴とする請求項６、８〜１２の何れか１項に記載の空気調和機。
【請求項１４】
前記本体には、当該収納部に収納された前記貯水トレイが有する前記取手部とは対象となる位置に、別の取手部が設けられていることを特徴とする請求項２に記載の空気調和機。
【発明の詳細な説明】
【技術分野】
【０００１】
本発明は空気調和機に関する。
【背景技術】
【０００２】
特許文献１に記載の加湿機能付空気洗浄機は、本体における、上部側に空気洗浄ユニットが設けられ、下部側に加湿ユニットが設けられている。この加湿ユニットには、給水トレイが収納されたトレイ部が設けられている。トレイ部の前面下部には、取手部が設けられている。これにより、ユーザは、給水トレイに給水する際、取手部を持って引っ張ることで、トレイ部を本体部から引き出すことができる。
【先行技術文献】
【特許文献】
【０００３】
【特許文献１】日本国公開特許公報「特開２００８‐２５８９９号公報」
【発明の概要】
【発明が解決しようとする課題】
【０００４】
特許文献１に係る加湿機能付空気洗浄機は、ある程度の大きさ及び重さを有するため、本体をユーザが持ち上げるための持ち手が必要となる。しかし、当該加湿機能付空気洗浄機に持ち手を設けるにはその持ち手を設けるためのスペースが必要となるため、本体を持ち上げるための持ち手を取手部とは別に設けると、本体が大きくなってしまう一因となる。【０００５】
また、特許文献１に係る加湿機能付空気洗浄機に持ち手を設けず、ユーザがトレイ部に設けられた取手部を持って本体を持ち上げた場合、誤って、トレイ部が本体から抜けてしまい、本体を落下させてしまう等の問題が生じる場合がある。【０００６】
本発明の一態様は、大型化を防止して、空気調和機本体を持ち上げる際のユーザビリティの向上を実現することを目的とする。
【課題を解決するための手段】
【０００７】
上記の課題を解決するために、本発明の一態様に係る空気調和機は、貯水トレイと、前記貯水トレイを収納する収納部を有する本体と、を備えた空気調和機であって、前記貯水トレイにおける第１面に第１係止部が設けられており、前記収納部のうち、前記貯水トレイを収納したときに当該貯水トレイの前記第１面と対向する第２面に直接又は他の部材を介して第２係止部が設けられており、前記第１係止部及び前記第２係止部は、前記収納部における前記貯水トレイの設置面に当該貯水トレイを接触させた状態で、前記貯水トレイを引き出し方向に引き出すと互いに係わり合わず、前記設置面から前記貯水トレイを浮かせた状態で引き出し方向に引き出すと、互いに係わり合うことで当該貯水トレイの引き出しを停止させることを特徴とする。
【発明の効果】
【０００８】
本発明の一態様によれば、大型化を防止して、空気調和機本体を持ち上げる際のユーザビリティの向上を実現することができる。
【図面の簡単な説明】
【０００９】
【図１】本発明の実施形態１に係る加湿機の外観を示す斜視図であり、（ａ）は前面蓋を装着した状態を示す斜視図であり、（ｂ）は前面蓋を取り外した状態を示す斜視図である。
【図２】（ａ）は、図１の（ａ）のＡＡ線矢視断面図であり、（ｂ）は、図１の（ａ）のＢＢ線矢視断面図である。
【図３】本発明の実施形態１に係る加湿機の本体と貯水トレイの構造を示す斜視図である。
【図４】本発明の実施形態１に係る貯水トレイの平面図である。
【図５】本発明の実施形態１に係る、収納部に収納された状態の貯水トレイの側面図である。
【図６】図５に示す貯水トレイの上面図である。
【図７】本発明の実施形態１に係る、収納部に収納された貯水トレイの引き出し方向前方側の裏底面が浮いた状態を表す側面を表す図である。
【図８】本発明の実施形態１に係る、第１突起部及び第２突起部の断面形状を表す図であり、（ａ）は、貯水トレイの裏底面が収納部の底面と接触している状態の第１突起部及び第２突起部の位置関係を表し、（ｂ）は、貯水トレイの引き出し方向前方側の裏底面が、収納部の底面が浮いた状態の第１突起部及び第２突起部の位置関係を表す図である。
【図９】本発明の実施形態１の変形例１に係る加湿機の本体における貯水トレイが収納された収納部近傍の断面図である。
【図１０】実施形態２に係る加湿機の本体が備える収納部に収納された状態の貯水トレイの側面図である。
【図１１】実施形態２に係る、収納部に収納された貯水トレイの引き出し方向前方側の裏底面が浮いた状態を表す側面を表す図である。
【図１２】実施形態２の変形例に係る加湿機の本体が備える収納部に収納された状態の貯水トレイの側面図である。
【図１３】実施形態３に係る貯水トレイの側面図である。
【図１４】実施形態３に係る収納部の側面の平面形状を表す図である。
【図１５】実施形態３に係る加湿機の本体が備える収納部に収納された状態の貯水トレイの側面図である。
【図１６】実施形態３に係る、収納部に収納された貯水トレイの引き出し方向前方側の裏底面が浮いた状態を表す側面を表す図である。
【図１７】実施形態３の変形例に係る収納部の側面を表す図である。
【発明を実施するための形態】
【００１０】
〔実施形態１〕
以下、本発明の一実施形態について、詳細に説明する。本実施形態では、本発明に係る空気調和機を、加湿機に適用した例について説明する。当該空気調和機は、加湿機に限らず、除湿機、除湿機能および／または加湿機能を有する空気清浄機などであってよい。除湿機は、除湿の結果生じた水を貯留するために後述する貯水トレイ２と同様な貯水トレイ及び収納部１ａと同様の収納部を備えている。また、この貯水トレイは、除湿で生じたすべての水を貯留するように大容量に構成されている。
【００１１】
除湿機は、コンプレッサ式、デシカント式、ハイブリッド式などの方式があり、それぞれの方式で、取り込んだ空気から水分を除去する除湿部（蒸発器、熱交換器など）を備えるが、筐体内部で空気の流れを生じるためにファンも備える。このため、除湿機は、上述の加湿機１００と同様なファンと貯水トレイとの配置構造を採ることもある。
【００１２】
また、加湿機は、気化式の加湿機であってもよいし、気化式の加湿機以外の他の形式の加湿機、例えば、スチーム（加熱）式、超音波式の加湿機であってもよい。
【００１３】
（加湿機の概要）
図１は、本実施形態に係る加湿機１０１の外観を示す斜視図であり、（ａ）は裏蓋７を装着した状態を示す斜視図、（ｂ）は裏蓋７を取り外した状態を示す斜視図である。図２の（ａ）は、図１の（ａ）のＡＡ線矢視断面図であり、（ｂ）は、図１の（ａ）のＢＢ線矢視断面図である。図３は、本実施形態に係る加湿機（空気調和機）１０１の本体１と貯水トレイ２との斜視図である。なお、図３では、貯水トレイ２内の説明のため、本体１の下部である、天面１ａ２以外の収納部１ａの図示を省略し、さらに、本体１の上部と貯水トレイ２とを離して図示している。
【００１４】
加湿機１０１は、図１に示すように、加湿機１０１の本体１と、本体１における下部に設けられた貯水トレイ２とを備えている。本体１の上面に排気口（吹出口）１１と給水口１２が設けられている。排気口１１は、加湿機１０１の本体１内部で加湿された空気を排出するための開口である。給水口１２は、本体１における下部に配置された貯水トレイ２に水を供給するための開口である。
【００１５】
排気口１１は、加湿機１０１の前面側（操作パネル等が設けられている側、すなわち貯水トレイ２から上記排気口１１まで加湿された空気を導く吹出路２０の形成面（本体の他側面）側）に設けられ、当該加湿機１０１の前面側に加湿された空気を排出するように設計されている。一方、給水口１２は、排気口１１とは反対側の加湿機１０１の裏面側（貯水トレイ２への給水路（溝１３，第１給水路１４，第２給水路１５）の形成面（本体１の一側面）側）に設けられ、当該加湿機１０１の上部から、加湿機１０１の下部に設けられた貯水トレイ２に水を供給するように設計されている。このように、給水口１２と排気口１１は隣接していない。つまり、給水口１２は、排気口１１から排出される空気の影響を受けない位置に形成されている。ここで、排気口１１から排出される空気の影響を受けない位置とは、当該排気口１１から排出される空気によって、注水中の水が飛び散らない位置をいう。具体的に、排気口１１から排出される空気の影響を受けない位置とは、給水中の水が排気口１１から排出される空気と接触しない位置をいう。
【００１６】
図１の（ａ）に示すように、本体１の裏面には、着脱自在な裏蓋７が設けられている。裏蓋７を取り外すと、図１の（ｂ）に示すように、給水口１２と貯水トレイ２とを繋げるように形成された溝１３が露出する。給水口１２から注がれた水は、溝１３を伝って貯水トレイ２に注がれる。溝１３の露出した面は、裏蓋７を加湿機１０１に装着することで塞がる。これにより、図２の（ａ）に示すように、給水口１２から貯水トレイ２までの第１給水路１４が形成される。この第１給水路１４は、後述する貯水トレイ２に形成された第２給水路１５に連通する。
【００１７】
図１及び図２に示すように、貯水トレイ２は、本体１の下部に設けられた収納部１ａに、本体１の裏面側から着脱可能に収納されている。収納部１ａは、本体１の下部に設けられた、貯水トレイ２が収納可能な程度の大きさを有する空間である。そして、貯水トレイ２の前面２ａ（貯水トレイ２が収納部１ａに収納されている時に露出する面）における下部には取手部４が設けられている。取手部４は、前面２ａから貯水トレイ２内部へ凹んだ形状である。これにより、ユーザが取手部４を持って、収納部１ａに収納された状態の貯水トレイ２を矢印Ｐ１方向（加湿機１０１の設置面に平行な引き出し方向）に引き出すことで、貯水トレイ２を収納部１ａから取り外したり、収納部１ａから取り外された状態の貯水トレイ２を矢印Ｐ１の逆方向に押し込むことで、貯水トレイ２を収納部１ａへ収納したりすることができる。
【００１８】
なお、後述するように、取手部４は、貯水トレイ２を収納部１ａへ出し入れするための取手だけではなく、貯水トレイ２を収納部１ａに収納した状態で本体１を持ち上げるための取手としても機能する。
【００１９】
図２及び図３に示すように、貯水トレイ２は、容器である筐体３と、筐体３で囲まれた水を貯めるための凹部内に設けられた加湿フィルタ１６とを有する。筐体３は、例えば、樹脂材料により構成することができる。なお、貯水トレイ２の凹部を囲む枠状の縁のうち、収納部１ａに収納されたときに収納部１ａの天面（第２面）１ａ２と対向する面を上面（第１面）３ａと称する。
【００２０】
図２に示すように、貯水トレイ２には、加湿機１０１に装着した状態で、第１給水路１４に連通する第２給水路１５が形成されている。従って、第２給水路１５に第１給水路１４から水が供給されることで、貯水トレイ２の凹部に水が満たされることになる。
【００２１】
加湿フィルタ１６は、高い含水性を有すると共に通気が可能な材料（不織布等）のシートである。加湿機１０１内の送風路１７から、送風路１７の出口である収納部１ａの天面１ａ２に設けられた格子部２５を通って、貯水トレイ２内に送り込まれた空気と接触するように配置されている。具体的には、加湿フィルタ１６は、図２の（ａ）に示すように、定量の水を貯留する貯水トレイ２内で下部が浸漬した状態で設置されている。つまり、加湿フィルタ１６は、水に浸漬されていない上部（吸水部分）に空気が接触しながら通過できるように貯水トレイ２内に設置されている。従って、加湿フィルタ１６に接触した空気によって当該加湿フィルタ１６に含まれる水が気化され、加湿された空気として排気口１１から外部に排出される。
【００２２】
ここで、加湿フィルタ１６の貯水トレイ２の凹部底面からの高さは、例えば、貯水トレイ２の凹部内の底面から上面３ａまでの高さに等しいことが好ましい。これにより、加湿フィルタ１６を通過しない空気を極力少なくすることで、湿度を適切にコントロールした空気を排気口１１から排出することができる。従って、貯水トレイ２の凹部内の底面から上面３ａまでの高さと、加湿フィルタ１６の高さとが同じであることが好ましい。
【００２３】
加湿機１０１には、図２の（ａ）（ｂ）に示すように、送風路１７に空気を送り込むための送風ファン１８と、送風ファン１８を駆動するモータ１９とが設けられている。
【００２４】
送風ファン１８は、モータ１９によって駆動されると、加湿機１０１の吸気口（図示せず）から外気を送風路１７内に導入して、当該送風路１７から格子部２５を通って、貯水トレイ２に空気を送り出すようになっている。送風ファン１８は、図２の（ｂ）では、シロッコファンを例示しているが、軸流ファンであってもよい。
【００２５】
図２及び図３に示すように、送風路１７からの空気は、貯水トレイ２内の加湿フィルタ１６の手前の空間である第１の領域２１に送り込まれる。そして、当該加湿フィルタ１６に接触しながら通過して、当該貯水トレイ２の加湿フィルタ１６を介して第１の領域２１と反対側の空間である第２の領域２２を経て、吹出路２０を通り排気口１１から外部に送り出される。従って、加湿フィルタ１６、送風路１７および送風ファン１８によって、貯水トレイ２の水を用いて空気を加湿する加湿部を構成している。また、送風路１７と送風ファン１８によって、加湿フィルタ１６に含まれた水を気化させる送風部を構成している。
【００２６】
以上のように、上記構成の加湿機１０１では、上記給水口１２から上記貯水トレイ２まで水を導く給水路（第１給水路１４、第２給水路１５）と、導入された外気を上記貯水トレイ２から上記排気口１１まで導く送風路（送風路１７、吹出路２０）とが別に形成されている。
【００２７】
（給水路）
次に、貯水トレイ２への給水路について説明する。給水路は、上述したように、図２の（ａ）及び図３に示す、給水口１２から第１給水路１４を経て、第２給水路１５までの経路である。第１給水路１４は、送風路１７の外側面に沿って形成され、且つ、図１の（ｂ）に示すように、裏蓋７と、当該裏蓋７を取り外した状態で露出する溝１３とによって構成されている。裏蓋７の裏面（溝１３に対向する面）と溝１３の表面は、ロータス効果を奏する微細な凹凸（シボ加工）が施されていることが好ましい。これにより、汚れが付着し難くなる。また、裏蓋７を取り外せば、溝１３が露出された状態となるため、第１給水路１４の清掃等の手入れが容易になる。
【００２８】
第２給水路１５は、図２の（ａ）及び図３に示すように、貯水トレイ２の端部に形成されており、第１給水路１４と連通する部分の第１開口部１５ａから水を取り入れ、当該貯水トレイ２の下方に向けて形成された第２開口部１５ｂから水を排出するようになっている。これにより、貯水トレイ２には、底辺から水が供給されることになる。
【００２９】
なお、第２給水路１５の凹部内面も、裏蓋７の裏面、溝１３の表面と同様に、ロータス効果を奏する微細な凹凸（シボ加工）が施されていることが好ましい。これにより、汚れが付着し難くなる。
【００３０】
また、給水口１２の給水面についても、ロータス効果を奏する微細な凹凸（シボ加工）が施されていることが好ましい。これにより、汚れが付着し難くなる。さらに、第１給水路１４の給水面は、第１給水路１４に向かって水が流れ込むような放射反射面形状となっていることが好ましい。これにより、給水口１２の給水面のどの部分に注水しても、水が飛散せず、且つ、外にこぼれずに、第１給水路１４に向かって水が適切に流れ込むようになる。
【００３１】
以上のように、給水口１２から注がれた水は、給水路を構成する、第１給水路１４、第２給水路１５を経て、貯水トレイ２に供給される。給水路から供給された水は、貯水トレイ２の第１の領域２１側に流れ込み、加湿フィルタ１６を経て第２の領域２２に流れ込む。つまり、送風路１７に近い側から遠い側に向かって水が供給されることになる。
【００３２】
通常、貯水トレイ２への給水のタイミングは、当該貯水トレイ２の貯水量が所定の量以下になったときできある。例えば、貯水トレイ２の貯水量が所定の量以下になれば、使用者に報知（音声によるお知らせ、ＬＥＤの点灯など）して、給水を促すようにしてもよい。貯水トレイ２の貯水量を検出するために、水位センサを本体１に設けてもよい。
【００３３】
（貯水トレイ２及び収納部１ａの詳細）
図４は、実施形態１に係る貯水トレイ２の平面図である。図３及び図４に示すように、貯水トレイ２は、凹部内に設けられた加湿フィルタ１６によって、第１の領域２１と、第２の領域２２とに仕切られている。第１の領域２１は、収納部１ａの天面１ａ２に設けられた格子部２５と対向する。貯水トレイ２の上面３ａは、貯水トレイ２の凹部の周囲、すなわち、第１の領域２１、加湿フィルタ１６及び第２の領域２２の周囲を囲っている。
【００３４】
貯水トレイ２の上面３ａには、上面３ａから突出した形状である第１突起部（第１係止部）３１が設けられている。本実施形態では、第１突起部３１は上面３ａに直接設けられている。また、本実施形態では、第１突起部３１は、貯水トレイ２の凹部を介在させて上面３ａの２箇所に設けられている。図３及び図４に示す例では、２個の第１突起部３１が、間に第１の領域２１を介在させて上面３ａに設けられている。
【００３５】
また、図３に示すように、貯水トレイ２の凹部及び上面３ａと対向する収納部１ａの天面１ａ２には、天面１ａ２から突出した形状である第２突起部（第２係止部）３２が設けられている。本実施形態では、第２突起部３２は天面１ａ２に直接設けられている。また、図３に示す例では、２個の第２突起部３２が、間に格子部２５を介在させて天面１ａ２に設けられている。なお、第１突起部３１及び第２突起部３２の個数は、それぞれ２個に限定されず、１個又は３個以上であってもよい。このように本実施形態では、第１突起部３１及び第２突起部３２は、突出した形状同士の組み合わせである。
【００３６】
図５は、実施形態１に係る、収納部１ａに収納された状態の貯水トレイ２の側面図である。図６は、図５に示す貯水トレイ２の上面図である。図６では、天面１ａ２越しに収納部１ａ内を見た様子を表している。
【００３７】
図５及び図６に示すように、貯水トレイ２が収納部１ａに収納されると、収納部１ａ内の設置面である底面１ａ１と貯水トレイ２の裏底面とが接触している。そして、収納部１ａにおける天面１ａ２と、貯水トレイ２における凹部及び上面３ａとが対向している。そして、ユーザが取手部４を持って貯水トレイ２を収納部１ａに出し入れする際、収納部１ａにおける設置面である底面１ａ１と貯水トレイ２の裏底面とが接触した状態で貯水トレイ２がスライドする。
【００３８】
なお、例えば、収納部１ａ内の側面等の底面１ａ１以外の面に、貯水トレイ２の設置面となるガイドレール等を設けてもよい。この場合、ユーザが取手部４を持って貯水トレイ２を収納部１ａに出し入れする際、収納部１ａにおけるガイドレールと貯水トレイ２のガイドレールとの接触面とが接触した状態で、貯水トレイ２がガイドレール上をスライドする。
【００３９】
図３、図５、図６に示すように、第２突起部３２は、収納部１ａに貯水トレイ２を収納した状態において、第１突起部３１よりも、引き出し方向（矢印Ｐ１方向）の前方側に設けられている。さらに具体的には、図６に示すように、平面視において、第２突起部３２は、貯水トレイ２が収納部１ａに収納された状態から引き出し方向（矢印Ｐ１方向）に引き出される際に第１突起部３１が移動する経路（図６の矢印Ｐ３１に示す経路）上となるように天面１ａ２に設けられている。
【００４０】
図５に示すように、収納部１ａに貯水トレイ２が収納されて、収納部１ａの底面１ａ１と貯水トレイ２の裏底面とが接触している状態における、貯水トレイ２の上面３ａと収納部１ａの天面１ａ２との距離をＨ１とする。また、上面３ａから第１突起部３１の頭頂面（天面１ａ２に対する第１突起部３１の対向面）までの距離を第１突起部３１の高さＨ３１とし、天面１ａ２から第２突起部３２の頭頂面（上面３ａに対する第２突起部３２の対向面）までの距離を第２突起部３２の高さＨ３２とする。
【００４１】
すると、第１突起部３１の高さＨ３１及び第２突起部３２の高さＨ３２は、距離Ｈ１より小さい（Ｈ１＞Ｈ３１＋Ｈ３２）。換言すると、第１突起部３１及び第２突起部３２それぞれの高さＨ３１・Ｈ３２は、収納部１ａにおける貯水トレイ２の設置面である底面１ａ１に貯水トレイ２を接触させた状態で、貯水トレイ２を引き出し方向（矢印Ｐ１に示す方向）に引き出すと互いに接触しない（すなわち、係わり合わない）高さである。
【００４２】
図７は、実施形態１に係る、収納部１ａに収納された貯水トレイ２の引き出し方向前方側の裏底面が浮いた状態を表す側面を表す図である。ユーザが加湿機１０１の本体１を持ち上げるには、図７に示すように、収納部１ａに収納された状態の貯水トレイ２の取手部４を持って、引き出し方向（矢印Ｐ１に示す方向）よりも鉛直上向きの成分を含む方向（矢印Ｐ２に示す方向）に貯水トレイ２を引き出す。すると、収納部１ａに収納された貯水トレイ２のうち、引き出し方向前方側の裏底面が、収納部１ａの設置面である底面１ａ１から浮く。そして、さらにユーザが、貯水トレイ２の取手部４を持って矢印Ｐ２に示す方向に力を加えると、貯水トレイ２の上面３ａに設けられている第１突起部３１が、収納部１ａの天面１ａ２に設けられている第２突起部３２と衝突する（すなわち、互いに係わり合う）。これは、図６を用いて説明したように、平面視において、第２突起部３２は、貯水トレイ２が収納部１ａに収納された状態から引き出し方向（矢印Ｐ１方向）に引き出される際に第１突起部３１が移動する経路（図６の矢印Ｐ３１に示す経路）上に位置するように天面１ａ２に設けられているためである。
【００４３】
図７に示すように、第１突起部３１が第２突起部３２と接触することで、ユーザが貯水トレイ２の取手部４を持って矢印Ｐ２に示す方向に力を加え続けても、貯水トレイ２の収納部１ａからの引き出しが停止する。そして、この状態からさらに、ユーザが貯水トレイ２の取手部４を持って矢印Ｐ２に示す方向に力を加え続けると、本体１が、鉛直上向き（矢印ＰＶに示す方向）に浮き上がる。このようにして、ユーザは、本体１を持ち上げることができる。
【００４４】
このように、加湿機１０１によると、収納部１ａにおける貯水トレイ２の設置面である底面１ａ１に貯水トレイ２を接触させた状態で、ユーザが取手部４を持って貯水トレイ２を引き出し方向（矢印Ｐ１に示す方向）に引き出した場合、第１突起部３１及び第２突起部３２は互いに接触しない。すなわち、第１突起部３１及び第２突起部３２は互いに係わり合わない。これにより、ユーザは、取手部４を持って、貯水トレイ２を収納部１ａから取り外すことができる。
【００４５】
そして、ユーザが取手部４を持って、引き出し方向（矢印Ｐ１に示す方向）よりも鉛直上向きの成分を含む方向（矢印Ｐ２に示す方向）に貯水トレイ２を引き出すことで、収納部１ａにおける貯水トレイ２の設置面である底面１ａ１から貯水トレイ２の引き出し方向前方側の裏底面（底面１ａ１との接触面）を浮かせた状態で引き出すと、第１突起部３１及び第２突起部３２は互いに接触する。すなわち、第１突起部３１及び第２突起部３２は互いに係わり合う。これにより、貯水トレイ２の引き出しが停止する。このため、ユーザが取手部４を持って貯水トレイ２に力を加えて加湿機１０１全体を持ち上げたとしても、貯水トレイ２が収納部１ａから外れて加湿機１０１が落下してしまうことを防止することができる。これにより、加湿機１０１を持ち上げる際のユーザビリティ（持ち上げの容易性）を向上させることができる。
【００４６】
そして、収納部１ａに収納された貯水トレイ２を引き出すための取手部４と、加湿機１０１全体を持ち上げるための取手部４とを共通化することができ、収納部１ａに収納された貯水トレイ２を引き出すための取手部４以外に、加湿機１０１全体を持ち上げるための持ち手を設ける必要がない。このように、加湿機１０１全体を持ち上げるための持ち手を設けるスペースが必要ないため、加湿機１０１の大型化を防止することができる。
【００４７】
図８は、実施形態１に係る、第１突起部３１及び第２突起部３２の断面形状を表す図であり、（ａ）は、貯水トレイ２の裏底面が収納部１ａの底面１ａ１と接触している状態の第１突起部３１及び第２突起部３２の位置関係を表し、（ｂ）は、貯水トレイ２の引き出し方向前方側の裏底面が、収納部１ａの底面１ａ１が浮いた状態の第１突起部３１及び第２突起部３２の位置関係を表す図である。
【００４８】
図８の（ａ）に示すように、第１突起部３１において、頭頂面と、引き出し方向前方側の側面３１ｃとが成す角３１ａは直角ではなく、面取りがされた湾曲形状であることが好ましい。これにより、収納部１ａに収納された状態の貯水トレイ２を引き出し方向（矢印Ｐ１に示す方向）に引き出した際、何らかの原因で第１突起部３１と第２突起部３２とが接触しても、第１突起部３１が第２突起部３２に引っかかることを抑制して、スムーズに、貯水トレイ２を収納部１ａから引き出すことができる。
【００４９】
第１突起部３１において、頭頂面と、引き出し方向後方側の側面とが成す角３１ｂは直角であってもよいが、直角よりも面取りがされた湾曲形状であることが好ましい。これにより、貯水トレイ２を押込み方向（矢印Ｐ３に示す方向、矢印Ｐ１とは逆方向）に押し込んだ際、何らかの原因で第１突起部３１と第２突起部３２とが接触しても、第１突起部３１が第２突起部３２に引っかかることを抑制して、スムーズに、貯水トレイ２を押し込んで、収納部１ａへ収納することができる。
【００５０】
第２突起部３２において、頭頂面と、引き出し方向前方側の側面とが成す角３２ａは直角であってもよいが、直角よりも面取りがされた湾曲形状であることが好ましい。これにより、貯水トレイ２を押込み方向（矢印Ｐ３に示す方向、矢印Ｐ１とは逆方向）に押し込んだ際、何らかの原因で第１突起部３１と第２突起部３２とが接触しても、第１突起部３１が第２突起部３２に引っかかることを抑制して、スムーズに、貯水トレイ２を押し込んで、収納部１ａへ収納することができる。
【００５１】
第１突起部３１における引き出し方向前方側の側面３１ｃと、上面３ａとが成す角θ１は、種々の角度を採り得るが、特に、９０°未満となるように、側面３１ｃが傾斜していることが好ましい。すなわち、側面３１ｃは、上面３ａ側から頭頂面側にかけて、引き出し方向前方側に傾斜していることが好ましい。これにより、図８の（ｂ）の破線Ｄに示すように、ユーザが取手部４を持って貯水トレイ２を矢印Ｐ２に示す方向に持ち上げた際、第１突起部３１の側面３１ｃが第２突起部３２の側面３２ｃに引っかかりやすくなる。これにより、より確実に、安定して、ユーザは、取手部４を持って加湿機１０１を持ち上げることができる。
【００５２】
また、図８の（ａ）に示すように、第２突起部３２における引き出し方向後方側の側面３２ｃと、天面１ａ２とが成す角θ２は、種々の角度を採り得るが、特に９０°であることが好ましい。これにより、図８の（ｂ）の破線Ｄに示すように、ユーザが取手部４を持って貯水トレイ２を矢印Ｐ２に示す方向に持ち上げた際、第１突起部３１の側面３１ｃが第２突起部３２の側面３２ｃに引っかかりやすくなる。これにより、より確実に、安定して、ユーザは、取手部４を持って加湿機１０１を持ち上げることができる。
【００５３】
また、図８の（ａ）に示すように、第２突起部３２において、頭頂面と、引き出し方向後方側の側面３２ｃとが成す角３２ｂは面取りがされた湾曲形状であってもよいが、湾曲形状よりも直角であることが好ましい。これにより、図８の（ｂ）の破線Ｄに示すように、ユーザが取手部４を持って貯水トレイ２を矢印Ｐ２に示す方向に持ち上げた際、第２突起部３２の角３２ｂが第１突起部３１の側面３１ｃに引っかかりやすくなる。これにより、より確実に、安定して、ユーザは、取手部４を持って加湿機１０１を持ち上げることができる。
【００５４】
図９は、変形例１に係る加湿機１０１の本体１における貯水トレイ２が収納された収納部１ａ近傍の断面図である。図１〜図８を用いて説明した加湿機１０１には、貯水トレイ２に設けられた取手部４以外に、加湿機１０１を持ち上げるための持ち手が設けられていなくてもよい。これにより、持ち手を設けるためのスペースを減らし、装置全体を小型化することができる。
【００５５】
図９に示す例では、貯水トレイ２に設けられた取手部４以外も、本体１に取手部１ｂ１が設けられている。取手部１ｂ１は、収納部１ａに収納された貯水トレイ２が有する取手部４と対称となる位置（加湿機１０１の前面）に設けられている。取手部１ｂ１は、加湿機１０１の前面（すなわち本体１の前面）から凹んだ形状である。これにより、ユーザは、貯水トレイ２に設けられた取手部４と、本体１に設けられた取手部１ｂ１とを持って、加湿機１０１を安定して持ち上げることができる。
【００５６】
本体１に設けられた取手部１ｂ１と、貯水トレイ２に設けられた取手部４とは、高さ（本体１の裏面からの距離）が同じであることが好ましい。これにより、さらに、安定して、ユーザは加湿機１０１を持ち上げることができる。なお、変形例１に係る加湿機１０１は、取手部４・１ｂ１以外に、加湿機１０１を持ち上げるための持ち手が設けられていなくてもよい。これにより、持ち手を設けるためのスペースを減らし、装置全体を小型化することができる。
【００５７】
〔実施形態２〕
本発明の実施形態２について、以下に説明する。なお、説明の便宜上、実施形態１にて説明した部材と同じ機能を有する部材については、同じ符号を付記し、その説明を繰り返さない。
【００５８】
図１０は実施形態２に係る加湿機１０１の本体１が備える収納部１ａに収納された状態の貯水トレイ２の側面図である。図１１は、実施形態２に係る、収納部１ａに収納された貯水トレイ２の引き出し方向前方側の裏底面が浮いた状態を表す側面を表す図である。
【００５９】
図１０に示すように、収納部１ａは、第２突起部３２（図５参照）に換えて、第２凹部（第２係止部）３２Ａを備えていてもよい。本実施形態では、第２凹部３２Ａは、天面１ａ２に直接設けられており、天面１ａ２から凹んだ形状である。第２凹部３２Ａは、第１突起部３１が嵌る程度の面積を有する。なお、第２凹部３２Ａの形成位置及び個数は、第２突起部３２（図５参照）と同じである。
【００６０】
図１０に示すように、第１突起部３１と第２凹部３２Ａとのように、突出した形状と凹んだ形状との組み合わせであってもよい。これにより、収納部１ａにおける貯水トレイ２の設置面である底面１ａ１に貯水トレイ２を接触させた状態で、ユーザが取手部４を持って貯水トレイ２を引き出し方向（矢印Ｐ１に示す方向）に引き出した場合、第１突起部３１及び第２凹部３２Ａは互いに接触しない。すなわち、第１突起部３１及び第２凹部３２Ａは互いに係わり合わない。これにより、ユーザは、取手部４を持って、貯水トレイ２を収納部１ａから取り外すことができる。
【００６１】
そして、図１１に示すように、ユーザが取手部４を持って、引き出し方向（矢印Ｐ１に示す方向）よりも鉛直上向きの成分を含む方向（矢印Ｐ２に示す方向）に貯水トレイ２を引き出すことで、収納部１ａにおける貯水トレイ２の設置面である底面１ａ１から貯水トレイ２の引き出し方向前方側の裏底面（底面１ａ１との接触面）を浮かせた状態で引き出すと、第１突起部３１及び第２凹部３２Ａは互いに接触する。すなわち、第１突起部３１及び第２凹部３２Ａは互いに係わり合う。さらに換言すると、第１突起部３１は第２凹部３２Ａに嵌る。これにより、貯水トレイ２の引き出しが停止する。このため、ユーザが取手部４を持って貯水トレイ２に力を加えて加湿機１０１全体を持ち上げたとしても、貯水トレイ２が収納部１ａから外れて加湿機１０１が落下してしまうことを防止することができる。これにより、加湿機１０１を持ち上げる際のユーザビリティ（持ち上げの容易性）を向上させることができる。
【００６２】
そして、収納部１ａに収納された貯水トレイ２を引き出すための取手部４と、加湿機１０１全体を持ち上げるための取手部４とを共通化することができる。
【００６３】
図１２は、実施形態２の変形例に係る加湿機１０１の本体１が備える収納部１ａに収納された状態の貯水トレイ２の側面図である。図１２に示すように、貯水トレイ２の上面３ａと収納部１ａの天面１ａ２に設けられている凹凸が逆であってもよい。図１２に示す例では、収納部１ａは、天面１ａ２に第２突起部３２を備え、貯水トレイ２の上面３ａに、第１突起部３１（図５参照）に換えて、第１凹部（第１係止部）３１Ａを備えていてもよい。本変形例では、第１凹部３１Ａは、上面３ａに直接設けられており、上面３ａから凹んだ形状である。第１凹部３１Ａは、第２突起部３２が嵌る程度の面積を有する。なお、第１凹部３１Ａの形成位置及び個数は、第１突起部３１（図５参照）と同じである。
【００６４】
図１２の構成によっても、収納部１ａにおける貯水トレイ２の設置面である底面１ａ１に貯水トレイ２を接触させた状態で、ユーザが取手部４を持って貯水トレイ２を引き出し方向（矢印Ｐ１に示す方向）に引き出した場合、第１凹部３１Ａ及び第２突起部３２は互いに接触しない。すなわち、第１凹部３１Ａ及び第２突起部３２は互いに係わり合わない。
【００６５】
また、ユーザが取手部４を持って、引き出し方向（矢印Ｐ１に示す方向）よりも鉛直上向きの成分を含む方向に貯水トレイ２を引き出すことで、収納部１ａにおける貯水トレイ２の設置面である底面１ａ１から貯水トレイ２の引き出し方向前方側の裏底面（底面１ａ１との接触面）を浮かせた状態で引き出すと、第１凹部３１Ａ及び第２突起部３２は互いに接触する。すなわち、第１凹部３１Ａ及び第２突起部３２は互いに係わり合う。さらに換言すると、第１凹部３１Ａは第２突起部３２に嵌る。これにより、貯水トレイ２の引き出しが停止する。
【００６６】
〔実施形態３〕
本発明の実施形態３について、以下に説明する。なお、説明の便宜上、実施形態１にて説明した部材と同じ機能を有する部材については、同じ符号を付記し、その説明を繰り返さない。
【００６７】
図１３は、実施形態３に係る貯水トレイ２の側面図である。図１３に示すように、貯水トレイ２に設けられた第１突起部３１Ｂのように、上面３ａではなく、貯水トレイ２の側面（第１面）３ｃに設けられていてもよい。側面３ｃは、貯水トレイ２を収納部１ａから引き出す際の引き出し方向に平行な面である。第１突起部３１Ｂは側面３ｃから突出した形状である。第１突起部３１Ｂは、両側面３ｃのうち、一方の側面３ｃにだけ設けられていてもよいが、両側面３ｃそれぞれに設けられている方が、安定性の観点から好ましい。
【００６８】
図１４は、実施形態３に係る収納部１ａの側面１ｃの平面形状を表す図である。なお、説明のため、側面１ｃは破線で図示している。本実施形態では、収納部１ａの側面１ｃに、貯水トレイ２の引き出し方向に平行に延設されたガイドレール３５が設けられている。収納部１ａの側面（第２面）１ｃは、貯水トレイ２を収納した際に、貯水トレイ２の側面３ｃと対向する面である。ガイドレール３５は、両側面１ｃのうち一方の側面１ｃにだけ設けられていてもよいが、両側面１ｃそれぞれに設けられている方が、安定性の観点から好ましい。
【００６９】
ガイドレール３５のうち、下面３５ａに第２凹部（第２係止部）３２Ｂが設けられている。換言すると、本実施形態においては、第２凹部３２Ｂは、ガイドレール３５本体を介して収納部１ａの側面１ｃに設けられていると表現することもできる。
【００７０】
図１５は実施形態３に係る加湿機１０１の本体１が備える収納部１ａに収納された状態の貯水トレイ２の側面図である。図１６は、実施形態３に係る、収納部１ａに収納された貯水トレイ２の引き出し方向前方側の裏底面が浮いた状態を表す側面を表す図である。
【００７１】
図１５及び図１６に示すように、貯水トレイ２が収納部１ａに収納された状態において、第１突起部３１Ｂの上面は、ガイドレール３５の下面３５ａと対向する。
【００７２】
また、第２凹部３２Ｂは、ガイドレール３５において、貯水トレイ２が収納部１ａに収納された状態における第１突起部３１Ｂよりも、引き出し方向前方に設けられている。すなわち、平面視において、第２凹部３２Ｂは、貯水トレイ２が収納部１ａに収納された状態から引き出し方向に引き出される際に第１突起部３１が移動する経路上に位置するように設けられている。
【００７３】
図１５に示すように、収納部１ａにおける貯水トレイ２の設置面である底面１ａ１に貯水トレイ２を接触させた状態で、ユーザが取手部４を持って貯水トレイ２を引き出し方向（矢印Ｐ１に示す方向）に引き出した場合、第１突起部３１及び第２凹部３２Ｂは互いに接触しない。すなわち、第１突起部３１及び第２凹部３２Ｂは互いに係わり合わない。
【００７４】
図１６に示すように、ユーザが取手部４を持って、引き出し方向（矢印Ｐ１に示す方向）よりも鉛直上向きの成分を含む方向に貯水トレイ２を引き出すことで、収納部１ａにおける貯水トレイ２の設置面である底面１ａ１から貯水トレイ２の引き出し方向前方側の裏底面（底面１ａ１との接触面）を浮かせた状態で引き出すと、第１突起部３１及び第２凹部３２Ｂは互いに接触する。すなわち、第１突起部３１及び第２凹部３２Ｂは互いに係わり合う。さらに換言すると、第１突起部３１は第２凹部３２Ｂに嵌る。これにより、貯水トレイ２の引き出しが停止する。
【００７５】
図１７は、実施形態３の変形例に係る収納部１ａの側面１ｃを表す図である。図１７に示すように、ガイドレール３５に、第２凹部３２Ｂに換えて、ガイドレール３５を貫通する貫通孔（第２係止部）３２Ｃを設けてもよい。貫通孔３２Ｃの形成位置は、第２凹部３２Ｂと同じであり、第１突起部３１が嵌る程度の面積を有する。このように、ガイドレール３５に貫通孔３２Ｃを設けても、ガイドレール３５に第２凹部３２Ｂを設けた場合と同様の効果を得ることができる。
【００７６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７７】
１  本体
１ａ  収納部
１ａ１  底面（設置面）
１ａ２  天面（第２面）
１ｃ  側面（第２面）
４・１ｂ１  取手部
２  貯水トレイ
２ａ  前面
３  筐体
３ａ  上面（第１面）
３ｃ  側面（第１面）
７  裏蓋
１１  排気口
１２  給水口
１６  加湿フィルタ
１７  送風路
１８  送風ファン
１９  モータ
２０  吹出路
２１  第１の領域
２２  第２の領域
２５  格子部
３１  第１突起部（第１係止部）
３１Ａ  第１凹部（第１係止部）
３１Ｂ  第１突起部（第１係止部）
３２  第２突起部（第２係止部）
３２Ａ  第２凹部（第２係止部）
３２Ｂ  第２凹部（第２係止部）
３２Ｃ  貫通孔（第２係止部）
３１ｃ、３２ｃ  側面
１０１  加湿機（空気調和機）
【図１】
2020032054.tif 000003
【図２】
2020032054.tif 000004
【図３】
2020032054.tif 000005
【図４】
2020032054.tif 000006
【図５】
2020032054.tif 000007
【図６】
2020032054.tif 000008
【図７】
2020032054.tif 000009
【図８】
2020032054.tif 000010
【図９】
2020032054.tif 000011
【図１０】
2020032054.tif 000012
【図１１】
2020032054.tif 000013
【図１２】
2020032054.tif 000014
【図１３】
2020032054.tif 000015
【図１４】
2020032054.tif 000016
【図１５】
2020032054.tif 000017
【図１６】
2020032054.tif 000018
【図１７】
2020032054.tif 000019
【国際調査報告】
2020032054.tif 000020
2020032054.tif 000021
2020032054.tif 000022
2020032054.tif 000023